(57)【特許請求の範囲】
【請求項１】
支持ケース、保護ケース、及び、該両ケース内に配備される機械スイッチを備えた圧力応動スイッチにおいて、
前記機械スイッチがハウジングと該ハウジングを閉鎖するハウジングカバーとを備えると共に、前記ハウジングの外周に排水案内溝としみ込み漏洩防止溝とを設けたことを特徴とする圧力応動スイッチ。
【請求項２】
前記ハウジングの前記ハウジングカバーと反対側端には、前記ハウジングの外周より大きい案内鍔部を設け、該案内鍔部としみ込み漏洩防止溝との間に排水案内溝を設けたことを特徴とする請求項１に記載の圧力応動スイッチ。
【請求項３】
前記保護ケースは、横方向にコ字状に折曲して中央側板と左右一対の側板とを備えると共に、前記中央側板と左右一対の側板は上端に係止鍔部を備え、該係止鍔部の下面の前記支持ケースの上部側板の接合部に帯状シール突起を設けたことを特徴とする請求項１又は２に記載の圧力応動スイッチ。
【請求項４】
前記支持ケースの上部側板の内部下面に係止くぼみを設け、該係止くぼみに前記機械スイッチのハウジングの上面に設けた係止突起を嵌合係止したことを特徴とする請求項１乃至３に記載の圧力応動スイッチ。
【発明の詳細な説明】
【０００１】
【発明の属する技術分野】
本発明は、圧力応動スイッチに関し、特に、冷凍、空調用装置等における冷凍サイクルの冷媒圧縮機等を起動もしくは停止をさせる圧力応動スイッチに関する。
【０００２】
【従来の技術】
この種の圧力応動スイッチは、通常、冷凍、空調用装置を構成する冷凍サイクル用の冷媒圧縮機の近傍に配置され、該冷凍サイクルの冷媒循環系統の前記冷媒圧縮機の近傍の低圧側及び高圧側の圧力を検知して、該検知に基づき前記冷媒圧縮機を起動もしくは停止して前記冷凍サイクルの運転の制御をするものである。
【０００３】
図４〜６は、従来の圧力応動スイッチ１０’を示すものであって、その内部構成は低圧側スイッチと高圧側スイッチとの二つのスイッチから成っている。該圧力応動スイッチ１０’は、支持ケース２０’と保護ケース４０’とを備えており、前記支持ケース２０’は、上下方向にコ字状に折曲されており、中央側板２１’、上部側板２２’、及び、下部側板２３’とから成っている。前記上部側板２２’と下部側板２３’との間には、機械スイッチ６０’が介装固定されていると共に、該機械スイッチ６０’をリンク機構等を介して作動させるべく、冷凍サイクルの冷媒循環系統の冷媒の低圧側及び高圧側の圧力を検知する一対の低圧側ベローズ２４’と高圧側ベローズ２５’とが前記下部側板２３’の下面に固定されている。
【０００４】
前記保護ケース４０’は、横方向にコ字状に折曲されており、中央側板４１’と、左右一対の側板４２’、４３’とから成っている。前記中央側板４１’と左右一対の側板４２’、４３’の上下の端部には、各々係止鍔部４４’、４５’が前記側板４１’、４２’、４３’の面と直角な内方向に延びている。前記係止鍔部４４’、４５’は、コ字状に形成されている。
【０００５】
前記保護ケース４０’と前記支持ケース２０’との係合固定時に、前記保護ケース４０’の上下の係止鍔部４４’、４５’内に前記支持ケース２０’の側板２２’、２３’の端部が嵌合するように形成されている。前記機械スイッチ６０’は、ハウジング６１’、該ハウジュング６１’内に収納される冷媒の低圧側及び高圧側の２つのスイッチ機構、および、該スイッチ機構を前記ハウジング６１’内に密封して該ハウジング６１’と嵌合するハウジングカバー６２’を備えている。
【０００６】
前記従来の圧力応動スイッチ１０’は、冷凍サイクルの冷媒循環系統の冷媒の低圧側圧力もしくは高圧側圧力が上昇すると前記冷媒圧力に応動する低圧側ベローズ２４’もしくは高圧側ベローズ２５’を作動させると共に、該作動に応動するリンク、レバー等を介して前記機械スイッチ６０’内に装備した電気スイッチ機構をＯＮ−ＯＦＦさせ、冷媒循環系統の冷媒圧縮機の駆動を制御するものである。
【０００７】
【発明が解決しようとする課題】
ところで、前記圧力応動スイッチ１０’が室外に設置された場合には雨水等がかかるおそれが生じ、それが前記圧力応動スイッチ１０’のケースの上面に降り懸かかり、該上面を濡らす場合が生じる。この場合、該水が前記支持ケース２０’と前記保護ケース４０’との接合部分から該ケース２０’、４０’内に進入して前記支持ケース２０の側板２２’の端部から落下し、該落下した水の一部が前記機械スイッチ６０’の上面を濡らし、その水の一部が前記機械スイッチ６０’の上面と前記支持ケース２０’の側板２２’の下面との間の隙間を流れて前記支持ケース２０’の側板２１’方向に流れ、前記機械スイッチ６０’のハウジング６１’とハウジングカバー６２’との接合部６３’の隙間から該機械スイッチ６０’の内部に進入してスイッチ機構を濡らして、スイッチ機構の作動に不都合を生じさせるとの問題点がある。
【０００８】
また、前記従来の圧力応動スイッチ１０’は、前記機械スイッチ６０’の前記ハウジング６１’の外周上面の中央に前記支持ケース２０’への取付突起６６’が形成されており、該取付突起６６’は、前記支持ケース２０’の側板２２’に貫通開口された取付孔２４’に係合固定されている。このため、前記圧力応動スイッチ１０’のケースの上面に水が降り懸かかった場合、前記取付孔２４’を介して該水が圧力応動スイッチ１０’内に進入し、前記機械スイッチ６０’の上面を濡らすこととなり、結果として、前記記載と同様に、該水は前記機械スイッチ６０’内部に進入して該機械スイッチ６０’の内部に配備されているスイッチ機構を濡らすことの不都合が生じる。
【０００９】
さらに、圧力応動スイッチには配線用の端子が存在するので、この端子部分にも雨水等がかかる場合が生じ、この場合も、圧力応動スイッチの誤動作の原因となる。
本発明は、このような問題に鑑みてなされたものであって、その目的とするところは、簡単な構成の変更で、圧力応動スイッチ内に水等が進入するのを阻止して、該圧力応動スイッチ内に配備された機械スイッチのスイッチ機構が該水等で濡れるのを防ぐ漏洩防止構造を提供することである。
【００１０】
【課題を解決するための手段】
前記目的を達成すべく、本発明に係る圧力応動スイッチは、支持ケース、保護ケース、及び、該両ケース内に配備される機械スイッチを備え、前記機械スイッチがハウジングと該ハウジングを閉鎖するハウジングカバーとを備えると共に、前記ハウジングの外周に排水案内溝としみ込み漏洩防止溝とを設けたことを特徴とすると共に、前記ハウジングの前記ハウジングカバーと反対側端には、前記ハウジングの外周より大きい案内鍔部を設け、該案内鍔部としみ込み漏洩防止溝との間に排水案内溝を設けたことを特徴としている。
【００１１】
また、本発明の圧力応動スイッチの他の態様としては、前記保護ケースが横方向にコ字状に折曲して中央側板と左右一対の側板とを備えると共に、前記中央側板と左右一対の側板は上端に係止鍔部を備え、該係止鍔部の下面の前記支持ケースの上部側板の接合部に帯状シール突起を設けたことを特徴としている。
更に、本発明の圧力応動スイッチは、前記支持ケースの上部側板の内部下面に係止くぼみを設け、該係止くぼみに前記機械スイッチのハウジングの上面の設けた係止突起を嵌合係止したことを特徴としている。
【００１２】
前述のごとく構成された本発明に係る圧力応動スイッチは、雨水等が進入し、前記圧力応動スイッチのケースの上面に降り懸かかっても、該接合部分である前記保護ケースの上部係止鍔部の下面にシール突起が突設さてているので、前記水の大部分は該シール突起によって該ケース内への進入を阻止される。
そして、前記水の一部が該シール突起の部分から前記ケース内に進入してしまう場合があっても、該水は前記機械スイッチの案内鍔部に導かれて、前記排水案内溝に案内され、該排水案内溝の両側部を流れて下降して下部から排水される。
【００１３】
更に、前記排水案内溝と前記しみ込み漏洩防止溝との間の接触面を介して前記排水案内溝内の水が前記しみ込み漏洩防止溝内にしみ込んでしまう場合があっても、該しみ込み漏洩防止溝のラビリンス効果によって、該しみ込み漏洩防止溝に入った水が前記排水案内溝と反対方向に漏洩するのが防止される。
この結果、機械スイッチの前記ハウジングとハウジングカバーとの嵌合接合部に水が導かれて該嵌合接合部から該機械スイッチ内に進入して内部のスイッチ機構を濡らす等の不都合が防止できる。
【００１４】
【発明の実施の形態】
以下、図面により本発明の一実施の形態を詳細に説明する。
図１は本実施の形態の圧力応動スイッチ１０の外観斜視図、図２は該圧力応動スイッチ１０の分解図、及び、図３は図１の該圧力応動スイッチ１０の矢視III-III の断面図である。
【００１５】
圧力応動スイッチ１０は、前記低圧側スイッチもしくは高圧側スイッチとの二つのスイッチ機能を備えたものとして構成されるものであり、その外部外観部には、金属で形成された支持ケース２０と合成樹脂で成形された保護ケース４０とを備えており、前記支持ケース２０は、上下方向にコ字状に折曲されており、中央側板２１、上部側板２２、及び、下部側板２３とから成っている。前記上部側板２２と下部側板２３との間には、機械スイッチ６０が介装固定されていると共に、該機械スイッチ６０をリンク機構（図示省略）を介して作動させるべく、冷凍サイクルの冷媒循環系統の冷媒圧縮機の近傍の低圧側及び高圧側の圧力を検知する一対の低圧側ベローズ２４と高圧側ベローズ２５とが前記下部側板２３の下面に固定されている。
【００１６】
前記保護ケース４０は、横方向にコ字状に折曲されており、中央側板４１と、左右一対の側板４２、４３とから成っている。前記中央側板４１と左右一対の側板４２、４３の上下の端部には、各々係止鍔部４４、４５が前記側板４１、４２、４３の面と直角な内方向に延びている。前記係止鍔部４４、４５は、コ字状に形成され、中央係止鍔部４４ａ、４５ａと一対の側部係止鍔部４４ｂ、４５ｂとを備えている。前記上部の係止鍔部４４の内面には帯状シール突起４６が前記中央側板４１と左右一対の側板４２、４３の端部から平行に形成されている。
【００１７】
前記上下の係止鍔部４４と係止鍔部４５との内側の高さＨ1 は、前記支持ケース２０の上下部側板２２、２３の上下の外面高さＨ2 と略同一に形成し、前記保護ケース４０を前記支持ケース２０に係合固定する時、前記保護ケース４０の上下の中央係止鍔部４４ａ及び側部係止鍔部４５ｂ、４５ｂ内に前記支持ケース２０の側板２２、２３の中央端部２２ａ，２３ａと側部端部２２ｂ。２３ｂが嵌合するように形成されている。
【００１８】
前記機械スイッチ６０は、フェノール樹脂から成るハウジング６１と、該ハウジュング６１内に収納される冷媒の低圧側及び高圧側の２つのスイッチ機構（図示省略）、該スイッチ機構を前記ハウジング６１内に密封し、該ハウジング６１と嵌合するハウジングカバー６２とを備えている。該ハウジングカバー６２には、前記２つのスイッチ機構を作動させる一対のスイッチレバー６３、６３を揺動自在に支持しており、該スイッチレバー６３、６３の各々は、一対の低圧側ベローズ２４と高圧側ベローズ２５との各作動に基づいてリンク機構（図示省略）を介して揺動して前記機械スイッチ６０内の２つのスイッチ機構の各々を操作する。
【００１９】
前記機械スイッチ６０の前記ハウジング６１の外周の上面６１ａ及び二つの側面６１ｂ、６１ｂには、太さの異なる二条の溝６４、６５が形成されている。溝幅の大きい溝６４は、排水案内溝として機能するものであり、溝幅の小さい溝６５は、しみ込み漏洩防止溝として機能するものである。前記排水案内溝６４の一端部は、前記ハンジング６１の外周よりも大きい外周を備えた案内鍔部６７として形成されている。
【００２０】
前記スイッチ６０の前記ハウジング６１の外周上面６１ａの中央には、前記支持ケース２０への取付突起６６が形成されており、該取付突起６６は、前記支持ケース２０への装着時に、該支持ケース２０の上部側板２２の内側中央に形成された係止くぼみ２４に係合するものである。
【００２１】
前記圧力応動スイッチ１０の組立てに当たっては、前記一対の低圧側ベローズ２４と高圧側ベローズ２５とを前記支持ケース２０の下部側板２３の下面に取付固定すると共に、前記機械スイッチ６０を前記支持ケース２０の上下部側板２２、２３の間に挿入し、前記機械スイッチ６０の取付突起６６を前記支持ケース２０の係止くぼみ２４に係合し、該機械スイッチ６０の下部を締付ビス（図示省略）等で締め付け固定する。
【００２２】
その後、前記保護ケース４０を前記支持ケース２０に係合保持するが、係合に当たって、前記保護ケース４０の上下の係止鍔部４４と係止鍔部４５の間に前記支持ケース２０の上下部側板２２、２３の端部２２ａ、２２ｂ、２３ａ、２３ｂが係合するべくはめ込まれる。この時、前記保護ケース４０の前記上部係止鍔部４４の下面にコ字状に凸設された前記帯状シール突起４６が前記支持ケース２２の上部側板２２の端部２２ａ、２２ｂの上面に接触することとなる。
【００２３】
この組立によって、前記機械スイッチ６０が前記二つの支持ケースと保護ケースとの間に封鎖され、前記機械スイッチ６０の下部に設けられた配線コード（図示省略）が前記支持ケース２０の下部側板２３に開口した穴（図示省略）を介して外部に導きだされている。
【００２４】
次に、本実施の形態の作動もしくは作用について説明する。
圧力応動スイッチ１０は、前記低圧側スイッチと高圧側スイッチとの二つのスイッチから成っており、該スイッチは、冷凍サイクルの冷媒循環系統の前記冷媒圧縮機の近傍の低圧側の圧力もしくは高圧側の圧力が上昇すると前記冷媒圧力に応動する低圧側ベローズ２４もしくは高圧側ベローズ２５を備えているから、該低圧側ベローズもしくは高圧側ベローズの応動によってリンク機構（図示省略）を介して前記スイッチレバー６３、６３を揺動させ、該スイッチレバー６３、６３の揺動によって機械スイッチ６０内に装備したスイッチ機構（図示省略）をＯＮ−ＯＦＦさせる。該機械スイッチ６０内の前記スイッチ機構のＯＮ−ＯＦＦによって、冷媒圧縮機のモータを駆動するための電力の供給の断続を行い、該電力の供給の断続によって、前記冷媒圧縮機のモータの起動もしくは停止を行って、前記冷媒圧縮機から前記冷凍サイクルの冷媒循環系統への冷媒の供給もしくは停止を行い冷媒の供給の調整を行う。
【００２５】
前記圧力応動スイッチ１０を室外に設置した冷凍装置等に配備した時、雨水等が進入し、前記圧力応動スイッチ１０の前記支持ケース２０もしくは保護ケース４０の上面に降り懸かる場合がある。そして、該水の一部が前記支持ケース２０と前記保護ケース４０との接合部分から前記支持ケース２０及び保護ケース４０内に進入しょうとするが、該接合部分である前記保護ケース４０の上部係止鍔部４４の下面にはコ字状の帯状シール突起４６が突設され、前記支持ケース２２の上部側板２２の端部２２ａ、２２ｂの上面に接触する状態とされているので、前記水の大部分は該帯状シール突起４６によって該ケース内への進入を阻止される。
【００２６】
しかし、前記シール突起４６は単に前記支持ケース２０の上面に接触しているだけであるので、前記水の一部が該帯状シール突起４６の部分から前記ケース２０、４０内に進入してしまう場合がある。該帯状シール突起４６部分から進入した水は、前記支持ケース２０の上部側板２２の端部２２ａ、２２ｂ、２２ｂから落下する。この時、端部２２ｂ，２２ｂから落下し水は、前記機械ズイッチ６０に接触せずに、前記ケース２０、４０の下部に直接下降するが、前記上部側板２２の端部２２ａから落下する水は、前記機械スイッチ６０の案内鍔部６７に導かれて、前記排水案内溝６４に案内され、該排水案内溝６４の両側部６１ｂ、６１ｂを流れて下降して下部に排水される。この際、案内鍔部６７の存在により、水が配線用端子側に進入することも防止できるのである。
【００２７】
更に、前記排水案内溝６４と前記しみ込み漏洩防止溝６５との間の接触面６６を介して前記排水案内溝６４内の水が前記しみ込み漏洩防止溝６５内にしみ込んでしまう場合があっても、該しみ込み漏洩防止溝６５のラビリンス効果によって、前記しみ込み漏洩防止溝６５に入った水が前記排水案内溝６４と反対方向に漏洩するのが防止され、該しみ込み漏洩防止溝６５を下方に流れて排水される。
【００２８】
前記機械スイッチ６０の取付突起６６の係止部として前記支持ケース２２の上部側板の下面に係止くぼみ２４を設けた構成としたので、前記取付突起６６が前記支持ケース２２の外面に貫通露出しない構成となり、該係止くぼみ２４部分から水が圧力応動スイッチ１０内に進入することがない。
【００２９】
前記一連の水の前記機械スイッチ６０内への進入防止策によって、該機械スイッチ６０の前記ハウジング６１と該ハウジング６１に嵌合するハウジングカバー６２との嵌合接合部６８に水が導かれ、該嵌合接合部６８から該機械スイッチ６０内に進入して、該機械スイッチ６０内のスイッチ機構を濡らし、各種の不都合をしょうじさせることが防止できる。
【００３０】
【発明の効果】
以上の説明から理解されるように、本発明による圧力応動スイッチは、従来の構造を簡単に変更するのみで、該圧力応動スイッチ内に組み込まれている機械スイッチ内に水等が進入してスイッチの作動機能を阻害するのを防止することができる。
【図面の簡単な説明】
【図１】本発明の一実施の形態の圧力応動スイッチの外観図。
【図２】図１の圧力応動スイッチの分解斜視図。
【図３】図１の矢視III-III 断面図。
【図４】従来の圧力応動スイッチの外観図。
【図５】図４の圧力応動スイッチの分解斜視図。
【図６】図４の矢視VI-VI 断面図。
【図面の簡単な説明】
１０…圧力応動スイッチ
２０…支持ケース
２４…係止くぼみ
４０…保護ケース
４４…係止鍔部
４６…帯状シール突起
６０…機械スイッチ
６１…ハウジング
６２…ハウジングカバー
６４…排水案内溝
６５…しみ込み漏洩防止溝
６６…取付突起
６７…案内鍔部
６８…嵌合接合部
【図１】
0003801245.tif 000002
【図２】
0003801245.tif 000003
【図３】
0003801245.tif 000004
【図４】
0003801245.tif 000005
【図５】
0003801245.tif 000006
【図６】
0003801245.tif 000007